(57)【要約】【課題】  表示された画像をオペレータが確認することで即座に印刷装置のインク濃度などの調整を適正に行うことができるように、効果的な画像を表示する色調監視装置を提供する。【解決手段】  連続的に印刷された印刷物のインク濃度が、過去のある時点から現在までどのように推移したかを、印刷面の幅方向の全域にわたって各インクキーに対応する領域毎に表した３次元グラフをインク別に表示部に表示する。また、インク濃度を数値で表すのではなく、インク濃度の変化により特定の色がどのように変化するかをインク濃度の変動分を拡大してインクキーに対応する領域毎に表示する。これにより、オペレータは、過去のある時点から現時点までにおけるインク濃度の変化の推移を、インクキーに対応する領域毎に確認することができ、インク濃度の調整を適切に行うことができる。【選択図】  図３
2005131962.tif 000002
【特許請求の範囲】
【請求項１】
走行している印刷物の印刷面の画像を撮像する撮像手段と、
前記撮像手段が撮像した所定量の画像データに基づいて、印刷面の幅方向のインク濃度分布を演算する演算手段と、
前記演算手段の演算結果に基づいて、前記印刷面の幅方向のインク濃度分布を時系列に配列して表示する３次元グラフの画像を生成する画像処理手段と、
前記画像処理手段が生成した画像を表示する表示手段と、
を備えた色調監視装置。
【請求項２】
前記演算手段は、さらに、前記印刷面の幅方向のインク濃度分布と、基準値と、の差を拡大する演算を行い、
前記画像処理手段は、予め設定された特定色について、この演算結果に基づいて色調を変化させた前記印刷面の幅方向の画像を生成する請求項１に記載の色調監視装置。
【請求項３】
前記特定色を設定する設定手段を備えた請求項２に記載の色調監視装置。
【発明の詳細な説明】
【技術分野】
【０００１】
本発明は、印刷装置で連続的に印刷した印刷物におけるインク濃度などの変化の推移を表示する色調監視装置に関する。
【背景技術】
【０００２】
従来、輪転機や枚葉印刷機などの印刷装置で大量の印刷物をプロセスカラー印刷する際には、印刷が正常に行われるようにインク濃度の変化を色調監視装置で監視し、その結果に基づいて印刷装置のインク量を制御している。印刷装置には、図５（Ａ）に示すように、複数のインクキー１５２がインク元ローラ１５１の近傍に印刷面の幅方向に設けられている。印刷中などに印刷物の色調が部分的に変化した場合には、図５（Ｂ）に示すように、その領域に対応するインクキー１５２の開度を調整することによってインク１５３の量を調整してインク濃度を調整する。そのため、従来の色調監視装置は、印刷装置の各インクキーに対応する印刷面の領域毎に、現在のインク濃度を表示するように設定されていた。
【０００３】
しかし、従来の色調監視装置におけるこの表示方式は、過去からどのようにインク濃度が変化してきたか変化の推移がわからないため、インク濃度が基準値から外れている状態のときに、インク濃度を基準値に戻す処理をすぐに行うべきか否かをオペレータは容易に判断できないという問題があった。例えば、過去のある時点でインク濃度が基準よりもかなり高くなったためにインク濃度を下げる処理を既に行っていても、印刷機の応答が遅くインク濃度が徐々に低下しているためにインク濃度が基準値よりも高い場合と、処理があまり有効ではなかったためにインク濃度が少し低下しただけでインク濃度が基準値よりも高い場合と、がある。このとき、オペレータは現時点のインク濃度の情報だけで、どのように調整を行うべきか判断しかねるため、インク濃度の調整処理を誤ってしまうことがあった。
【０００４】
そこで、このような問題を解決するために、簡易なカラーカメラを使用して、色調変動における全体的な状況、経過、原因を印刷の色を評価するのに適した色座標で明示することができる印刷色調監視システムが提案されている（例えば、特許文献１参照。）。
【特許文献１】特開２００３−１０３７６１号公報（第３−６頁、第１−４図）
【発明の開示】
【発明が解決しようとする課題】
【０００５】
特許文献１に記載の印刷色調監視システムでは、現在のインク濃度の状態を表す幅方向色調変動グラフを表示させることができる。それに加えて、インクキーの各番号のうち１つを、マウスなどを用いて指示入力することにより、その番号のインクキーに対応する領域の時系列の変化を表す時系列色調変動グラフを表示させることができる。しかしながら、この表示方式では、隣接するインクキーに対応する領域の時系列の色調変動を同時に表示することができない。また、インクキーの開度を調整すると、その近隣のインクキーに対応する領域にも影響が及ぶため、オペレータは１つのインクキーに対応する領域の時系列色調変動グラフを確認しただけでは、インクキーの開度調整などを適正に行うことができないという問題があった。また、複数のインクキーに対応する領域の時系列における色調変動グラフを確認するためには、マウスを操作して表示を切り替えなければならず、操作が煩雑であり、オペレータはインクキーの調整をすぐに行うことができないという問題があった。
【０００６】
そこで、本発明は、表示された画像をオペレータが確認することで即座に印刷装置のインク濃度などの調整を適正に行うことができるように、効果的な画像を表示する色調監視装置を提供することを目的とする。
【課題を解決するための手段】
【０００７】
この発明は、上記の課題を解決するための手段として、以下の構成を備えている。
【０００８】
（１）走行している印刷物の印刷面の画像を撮像する撮像手段と、
前記撮像手段が撮像した所定量の画像データに基づいて、印刷面の幅方向のインク濃度分布を演算する演算手段と、
前記演算手段の演算結果に基づいて、前記印刷面の幅方向のインク濃度分布を時系列に配列して表示する３次元グラフの画像を生成する画像処理手段と、
前記画像処理手段が生成した画像を表示する表示手段と、
を備えたことを特徴とする。
【０００９】
この構成においては、色調監視装置は、印刷物におけるインク濃度の変化の推移を時系列で、印刷面の幅方向の全領域を一括して３次元グラフに表示するので、オペレータはこの画像を確認することで、インク濃度について現時点の値だけでなく、過去のある時点からの変化の推移を把握することができ、印刷物のインク濃度を適正に調整することが可能になる。ここで、インク濃度には、インク濃度を利用して算出できるインク量、インク変動量、印刷装置のインクキーの制御量などを含むものとする。
【００１０】
（２）前記演算手段は、さらに、前記印刷面の幅方向のインク濃度分布と、基準値と、の差を拡大する演算を行い、
前記画像処理手段は、予め設定された特定色について、この演算結果に基づいて色調を変化させた前記印刷面の幅方向の画像を生成することを特徴とする。
【００１１】
この構成においては、色調監視装置は、インク濃度の変化に応じて特定色がどのように変化するかを表す画像を表示するので、オペレータはこの画像を確認することで、直感的にインク濃度の変化を把握することができる。また、表示される特定色の画像はインク濃度の変化が拡大されているので、インク濃度の変化が僅かであっても表示される特定色は色調が大きく変化する。したがって、基準色の色調を確認したオペレータの注意を喚起して、インク濃度の監視・設定を促すことができる。
【００１２】
（３）前記特定色を設定する設定手段を備えたことを特徴とする。
【００１３】
この構成においては、特定色として所望の色を設定することができる。したがって、オペレータは自身が色調の変化を認識しやすい色を特定色として設定することができるので、特定色の色調を確認してインク濃度を適正に調整することが可能となる。
【発明の効果】
【００１４】
本発明は、連続的に印刷された印刷物のインク濃度またはインク濃度に基づいて算出可能な値が、過去のある時点から現在までどのように推移したか変化の様子を時系列に表すグラフであって、印刷面の幅方向の全域にわたって各インクキーに対応する領域毎に表した３次元グラフを、インク別に表示部に表示する。これにより、オペレータは、例えば現在のインク濃度をインク別に把握できるだけでなく、過去のある時点から現時点までにおけるインク濃度の変化の推移を、インクキーに対応する領域毎に確認することができ、インク濃度の調整を適切に行うことができる。
【００１５】
また、本発明は、インク濃度を数値で表すのではなく、インク濃度の変化により特定の色がどのように変化するかを、インク濃度の変動分を拡大してインクキーに対応する領域毎に表示する。したがって、インク濃度の変化が僅かであっても、特定色（基準色）の色調は大きく変化した状態で表示されるので、オペレータの注意を喚起してインク濃度の監視や調整を促すことができる。
【発明を実施するための最良の形態】
【００１６】
以下の説明では、印刷装置としてオフセット輪転機に色調監視装置を取り付けた構成を例に挙げて説明する。図１は、オフセット輪転機の概略を示す構成図である。オフセット輪転機１０１は、給紙装置１０２にセットされたロール紙Ｒから連続紙Ｐを供給し、印刷ユニット１０３でブラック（Black）・シアン（Cyan ）・マゼンタ（Magenta）・イエロー（Yellow）の順に連続紙Ｐの両面を印刷し 、ドライヤ１０４で連続紙Ｐを加熱して乾燥させる。そして、冷却胴１０５で連続紙Ｐを冷却して、アジャストローラ１０６でカットオフ調整を行い、ウェッブガイド装置１０７で連続紙Ｐの蛇行補正を行って、三角板１０８で連続紙Ｐを所定のサイズに折り曲げる。冷却胴１０５の下流側に設けられたウェッブガイド装置１０７と三角板１０８との間には、撮像センサ１５ａ，１５ｂが設けられており、撮像センサ１５ａ，１５ｂは印刷ユニット１０３でＹＭＣＫの各インクの印刷が完了して走行している印刷紙面の表面（表胴側）と裏面（裏胴側）とを撮像する。また、印刷ユニット１０３には、インクキー調整装置１０９が設けてあり、このインクキー調整装置１０９は色調監視装置１からの制御信号により、またはオペレータの操作に応じて、インクキーの開度を調整する。
【００１７】
図２は、本発明の実施形態に係る色調監視装置の概略構成を示したブロック図である。色調監視装置１は、オフセット輪転機１０１で印刷して走行中の連続紙Ｐにおける印刷面の画像を撮像して、この画像に基づいてインク濃度の変化の推移を表示する。色調監視装置１は、操作部１１、表示部１２、通信部１３、記憶部１４、撮像部１５、画像処理部１６、及び制御部１７を備えている。
【００１８】
操作部１１は、色調監視装置１に表示させるグラフの種類を変更したり、基準色の表示を変更したりする操作を行うために操作ボタンやマウスなどを備えている。表示部１２は、印刷物におけるインク濃度などの変化の推移を表示するグラフなどを表示する。通信部１３は、オフセット輪転機１０１に取り付けられたインクキー調整装置１０９に制御信号を出力して、インクキーの開度の調整を行わせる。なお、インクキーの開度をオペレータが調整する構成の場合には、通信部１３は不要である。記憶部１４は、基準画像のインクキーに対応する領域毎のインク濃度を記憶する。また、記憶部１４は、連続紙Ｐの印刷面のインクキーに対応する領域毎のインク濃度を、過去のある時点から現在までの一定期間分について記憶する。撮像部１５は、印刷物Ｐの印刷面の画像を撮像する撮像センサ１５ａと撮像センサ１５ｂを備えており、これらの撮像センサで撮像した画像信号を出力する。撮像センサ１５ａは、オフセット輪転機１０１の表胴側で印刷した画像を撮像する。また、撮像センサ１５ｂは、オフセット輪転機１０１の裏胴側で印刷した画像を撮像する。撮像センサとしては、ライン型やエリア型のＣＣＤなどの撮像デバイスが好適である。また、これらの撮像センサや別の撮像センサを使用した工業用カメラなども適用可能である。撮像センサ１５ａと撮像センサ１５ｂの撮像面には、白色光源を使用して撮像する場合、イエロー透過フィルタ、マゼンタ透過フィルタ、シアン透過フィルタ、及び赤外線透過フィルタがそれぞれ設けられており、イエロー、マゼンタ、シアン、ブラックの各インクで印刷した画像データを出力する。なお、撮像センサ１５ａ，１５ｂは、単板式であっても４板式であっても良い。以下の説明では、撮像センサ１５ａ，１５ｂは、単板式のライン型ＣＣＤとする。また、撮像方式としては、白色光源のみを使用して撮像する方式であっても、異なる色の光源を切り替えて撮像する方式（以下、光源切り替え方式と称する。）であっても良い。光源切り替え方式の場合、例えば、４板式の撮像センサ１５ａと撮像センサ１５ｂとの各センサには透過フィルタを設けずに、赤、青、緑、及び赤外の光源の点灯を順次切り替えながら印刷物Ｐの印刷面の画像を撮像し、得られた画像データに対して特殊な演算処理を行うことで、ＹＭＣＫの画像データを取得することができる。
【００１９】
画像処理部１６は、インク濃度の変化の推移を表す３次元グラフの画像を生成して、その画像データを表示部１２へ出力する。制御部１７は、色調監視装置１の各部を制御する。また、制御部１７は、撮像部１５が撮像した連続紙Ｐの画像に基づいて印刷物のインク濃度を算出する。制御部１７は、例えば、指定された領域の平均画素値ａと、白紙部分の平均画素数Ｗと、を求めて、これらの値に基づいてインク濃度ｌｏｇ（Ｗ／ａ）を算出する。
【００２０】
色調監視装置１は、以上のような構成により、印刷面のインク濃度を、ＹＭＣＫのインク毎に演算して、一定期間分の演算結果を蓄積する。また、色調監視装置１は、上記の演算結果に基づいて、従来の色調監視装置が表示していた幅方向色調変動グラフを改良したグラフを表示する。すなわち、印刷物の幅方向（Ｘ軸）における現在のインク濃度の状態（Ｙ軸）を表示する幅方向色調変動グラフに対して奥行き方向に時間軸（Ｚ軸）を設けて、現在のインク濃度の値が時間の経過とともに画面の奥行き方向に移動するように設定した３次元グラフ（つまり、インク濃度の変化を時系列で表すグラフ）を表示する。また、色調監視装置１は、インク濃度（Ｙ軸）の基準値に対する変動量を拡大する演算（Ｙ軸方向に拡大する演算）を行い、この演算結果に基づいて、予め設定した基準色（特定色）がどのような色調に変化するかを印刷面の幅方向について表す画像を表示する。
【００２１】
なお、色調監視装置１は、インク濃度についてのみ情報を表示するだけでなく、インク濃度に基づいて算出可能な副次的な値を表示することができる。例えば、インク量・インク変動量・印刷装置のインクキー制御量などの値を表示することができる。このように、色調監視装置１は、様々な値を表示させることができるが、以下の説明では、色調監視装置１がインク濃度を算出してインク濃度の変化の推移を３次元グラフで表示する場合について説明する。
【００２２】
色調監視装置１は、具体的には、図３に示すようなグラフを表示部１２に表示する。図３は、印刷紙面におけるインク濃度の変化量を表示した画面の一例である。図３において、表示画面３０は、操作ボタン表示領域３１、情報表示領域３２、表胴側グラフ表示領域３３、及び裏胴側グラフ表示領域３４から成る。操作ボタン表示領域３１には、基準色設定ボタン４１、動作／停止切り替えボタン４２、及び機能設定ボタン４３が表示されている。また、情報表示領域３２には、色調監視中／停止中などの情報４４、監視開始時間情報４５、印刷物の走行速度情報４６、監視部数情報４７、及び現在時刻情報４８が表示されている。さらに、表胴側のグラフ表示領域３３には、基準色の状態表示エリア５１と、印刷物表面側のＹＭＣＫの各インク濃度における変化の推移を表す３次元グラフとして、イエローインク濃度の３次元グラフ５２、マゼンタインク濃度の３次元グラフ５３、シアンインクの３次元グラフ５４、及びブラックインクの３次元グラフ５５が表示されている。加えて、裏胴側のグラフ表示領域３４には、基準色の状態表示エリア５６と、印刷物表面側のＹＭＣＫの各インク濃度における変化の推移を表す３次元グラフとして、イエローインク濃度の３次元グラフ５７、マゼンタインク濃度の３次元グラフ５８、シアンインクの３次元グラフ５９、及びブラックインクの３次元グラフ６０が表示されている。
【００２３】
操作ボタン表示領域３１において、基準色設定ボタン４１は、表胴側の基準色の状態表示エリア５１及び裏胴側の基準色の状態表示エリア５６に表示させる基準色を設定するためのものである。このボタン４１を操作すると、色の設定ウィンドウが表示されるので、輪転機のオペレータは、このウィンドウに表示された任意の色を基準色に設定することができる。
【００２４】
動作／停止切り替えボタン４２は、色調監視装置１における色調（インク濃度）監視動作の実行・停止を切り替えるためのものである。
【００２５】
機能設定ボタン４３は、色調監視装置１の機能を切り替えるためのものである。色調監視装置１では、インク濃度に替えて、インク濃度に基づいて算出可能な副次的な値であるインク量・インク変動量・印刷装置のインクキー制御量などを、インクキーに対応する領域毎に印刷面の幅方向の全領域について一括して表示させることができる。オペレータは、操作部１１の図外のマウスなどで機能設定ボタン４３を操作することで、３次元グラフのパラメータを変更することができる。
【００２６】
次に、表胴側の基準色の状態表示エリア５１及び裏胴側の基準色の状態表示エリア５６は、オペレータが基準色設定ボタン４１を操作して設定した基準色が、ＹＭＣＫの各インクの濃度変化により、現在どのような色になるかを表示するエリアであり、印刷面の幅方向を各インクキーに対応する領域に分割して表示している。
【００２７】
基準色の状態表示エリア５１・５６は、オフセット輪転機１０１のオペレータがインク濃度の変化を直感的に理解させることを目的として設けており、インク濃度が変化した場合に、インク濃度の変化量を所定の倍率で拡大して（強調して）基準色の変化を表示している。例えば、基準色の状態表示エリア５１の場合、基準色を灰色に設定している。表胴側では現在インクキー１〜１２においてイエローとシアンのインク濃度が基準値よりも上昇しているので、基準色は黄色乃至緑色がかった灰色に変化している。また、インクキー１２〜２６においてマゼンタのインク濃度が基準値よりも低下し、シアンのインク濃度が基準値よりも上昇し、ブラックのインク濃度が低下しているので、基準色は水色乃至青色に変化している。一方、インクキー２７〜３２においては各色ともインク濃度の変化は発生していないので、灰色のままになっている。
【００２８】
このように、インク濃度の変動による基準色の変化を拡大して表示することにより、インク濃度の変化が僅かでも基準色の色調は大きく変化するので、基準色の色調を確認したオペレータの注意を喚起して、インク濃度の監視・設定を促すことができる。
【００２９】
次に、３次元グラフ５２〜５５，５７〜６０は、表胴側及び裏胴側におけるＹＭＣＫの各インクの濃度を表示するグラフであり、データの表示方式は各３次元グラフとも同様であるため、表胴側のイエローインク濃度の３次元グラフ５２を例に挙げてデータの表示方式を説明する。３次元グラフ５２において、横軸（Ｘ軸）にオフセット輪転機１０１のインクキー番号を、縦軸（Ｙ軸）にインク濃度の変化量の相対値を、奥行き方向（Ｚ軸）に時間をそれぞれ割り当てている。オフセット輪転機１０１は、表胴側と裏胴側にそれぞれインクキーを３２個備えており、印刷面の幅方向にインクキーの１番から３２番まで順番にインク濃度を表示するように、横軸に所定の間隔で各インクキーに対応する領域を割り当てている。また、奥行き方向には一定期間分のインク濃度の推移がわかるように、現在のインク濃度を表す点を先頭して後方に尾を引くように過去のデータを線で表示している。図３には、一例として２０分間分のデータが奥行き（Ｚ軸）に表示されている。イエローインク濃度の３次元グラフ５２からは、以下の内容が読みとれる。すなわち、約１０分前までは、各インクキーともインク濃度に変動は生じていなかった。しかし、約１０分前から現在までインクキー１〜１２において、インク濃度が徐々に上昇しつつある。
【００３０】
このように、各インクのインク濃度の３次元グラフには、各インクキーにおけるインク濃度の変化の推移が表示されるので、オペレータはオフセット輪転機１０１をマニュアルで調整する場合には、変化の推移を確認して的確にインク濃度を調整することができる。例えば、インク濃度が上昇中であるか、インク濃度の上昇がピークを過ぎて下降しつつあるが基準値よりも高い状態であるか、インク濃度の基準値よりも高い状態が継続しているのか、は３次元グラフを見れば容易に確認できるので、従来のように操作を誤ることがない。
【００３１】
なお、３次元グラフ５２〜５５，５７〜６０の背景に各インク色かまたはその近似色を表示するように設定することで、グラフがどのインクに対応しているかを、オペレータに文字を確認することなく一目で理解させることができる。また、３次元グラフ５２〜５５，５７〜６０において、各インクキーに対応する領域毎の奥行き方向の線は、隣接する線とは異なる色で表示するように設定することで、各データを認識しやすくなる。さらに、３次元グラフに表示する過去のデータは、オペレータの設定に応じて、例えば１０分間分や３０分間分など期間の長さを変更することができる。
【００３２】
次に、色調監視装置１の動作をフローチャートに基づいて説明する。図４は、色調監視装置の動作を説明するためのフローチャートである。色調監視装置１では、刷り出し調整後の良品と判定された画像を基準画像として撮像センサ１５ａ，１５ｂで予め撮像している。そして、制御部１７は、ＹＭＣＫの各インク濃度をインクキーに対応する領域毎に算出して、この画像のインク濃度を基準値として、記憶部１４に記憶させている。オフセット輪転機１０１は、オペレータによって印刷が開始されると、巻き取り紙に所定の画像として例えば紙面１枚分の画像を連続して印刷する。
【００３３】
輪転機２で印刷が開始されると、色調監視装置１の制御部１７は、走行中の連続紙Ｐの画像を撮像センサ１５ａ、１５ｂに撮像させるための制御信号を出力する（ｓ１）。撮像センサ１５ａ、１５ｂは連続紙Ｐの両面の画像を連続して撮像し、ＹＭＣＫの各画像データを制御部１７に出力する（ｓ２）。制御部１７は、撮像センサ１５ａ，１５ｂから送られてきたＹＭＣＫの各画像データを、オフセット輪転機１０１の各インクキーに対応する領域毎に分けて、内蔵メモリに記憶させる（ｓ３）。制御部１７は、内蔵メモリに紙面１枚分の画像データが蓄積すると（ｓ４）、各インクキーに対応する領域毎にインク濃度を演算する。例えば、指定された領域の平均画素値ａと、白紙部分の平均画素数Ｗと、を算出して、これらの値に基づいてインク濃度ｌｏｇ（Ｗ／ａ）を求める（ｓ５）。続いて、制御部１７は、インクキーに対応する領域毎にＹＭＣＫの各インクの濃度を記憶部１４に記憶させる（ｓ６）。
【００３４】
制御部１７は、この処理を例えば１００回繰り返すと（ｓ７）、インクキーに対応する領域毎に、１００回分（印刷紙１００枚分）のインク濃度の平均値を求める（ｓ８）。また、記憶部１４から基準画像のインク濃度を読み出して、１００回分の平均値と基準画像のインク濃度との差を求めて、この演算結果を記憶部１４に記憶させるとともに、画像処理部１６へ出力する（ｓ９）。画像処理部１６は、制御部１７から出力されたデータと、記憶部１４から読み出した過去のある時点から現時点までの一定期間分のインク濃度データに基づいて、連続紙Ｐの幅方向の各所定領域をＸ軸（横方向）に、インク濃度の変化量をＹ軸（縦方向）に、時間をＺ軸（奥行き方向）に、それぞれ割り当てた図３に示した３次元グラフ５２〜５５，５７〜６０のような画像を、ＹＭＣＫのインク毎に別々に作成する（ｓ１０）。
【００３５】
また、制御部１７は、各インクのインク濃度の基準値に対する変動分（差）を拡大する演算を行い、これらのインク濃度のときに、予め設定された基準色がどのような色調になるかを、インクキーに対応する領域毎に演算して棒状の（グラフ）画像を作成する（ｓ１１）。
【００３６】
そして、画像処理部１６は、各画像を組み合わせて、図３に示した表示画面３０のような画像を作成し、この画像データを表示部１２へ出力する（ｓ１２）。表示部１２は、画像処理部１６から出力された３次元グラフの画像を画面に表示させる（ｓ１３）。
【００３７】
色調監視装置１は、以上のような処理を連続して行い、表示データを順次更新しながら表示部１２に表示画面３０のような画像の表示を続ける。制御部１７は、走行中の連続紙Ｐが停止したことを撮像センサ１５ａ、１５ｂで検出すると
（ｓ１４）、処理を終了する。
【００３８】
なお、以上の説明では、色調監視装置がインク濃度の変化の推移を表示した場合を説明したが、前記のようにインク濃度に替えて、インク濃度に基づいて算出可能である副次的な値の変化の推移を表示するように設定しても良い。
【００３９】
また、以上の説明では、輪転機において印刷紙面を撮像する撮像装置を例に挙げて説明したが、本発明の適用分野はこれに限るものではなく、連続的に一定速度で移動する対象物を連続的に画像化する分野や、従来ラインセンサが用いられている分野に適用できる。例えば、印刷物の品質検査装置、用紙・フィルムなどの品質検査装置等で対象物の画像を撮像する装置に適用できる。
【産業上の利用可能性】
【００４０】
連続的に一定速度で移動する対象物を連続的に画像化する分野、従来ラインセンサが用いられている分野、例えば、印刷物の品質検査装置、用紙、フィルムなどの品質検査装置等の分野に適用できる。
【図面の簡単な説明】
【００４１】
【図１】オフセット輪転機の概略を示す構成図である。
【図２】本発明の実施形態に係る色調監視装置の概略構成を示したブロック図である。
【図３】印刷紙面におけるインク濃度の変化量を表示した画面の一例である。
【図４】色調監視装置の動作を説明するためのフローチャートである。
【図５】インク元ローラ及びインクキーの配置を示す概観図である。
【符号の説明】
【００４２】
１−色調監視装置、１１−操作部、１２−表示部、１３−通信部、
１４−記憶部、１５−撮像部、１６−画像処理部、１７−制御部、
１０１−オフセット輪転機、Ｐ−連続紙
【図１】
2005131962.tif 000003
【図２】
2005131962.tif 000004
【図４】
2005131962.tif 000005
【図５】
2005131962.tif 000006
【図３】
2005131962.tif 000007